(57)【要約】【課題】  大きな倍率としてもコンバーターレンズ部がマスターレンズ装置側へ寄り過ぎることを抑えやすく、光学性能も維持しやすいリアコンバーターレンズ装置及びそれを備えた撮影システムを提供する。  【解決手段】  全体として負の屈折力をもつコンバーターレンズ部ＲＣＬを有し、コンバーターレンズ部ＲＣＬは、マスターレンズ装置ＭＳＬ側である物体側から順に、正屈折力の第１レンズ群Ｇ１、正屈折力の第２レンズ群Ｇ２、負屈折力の第３レンズ群Ｇ３からなり、各レンズ群の間には隙間があり、コンバーターレンズ部ＲＣＬ中の光軸上の各空気間隔のなかで、第１レンズ群Ｇ１と第２レンズ群Ｇ２との間の光軸上の空気間隔が最も大きくなるように第１レンズ群Ｇ１と第２レンズ群Ｇ２が配置され、且つ、各レンズ群は正レンズと負レンズを有することを特徴とする。【選択図】図１
2009080176.tif 000002
【特許請求の範囲】
【請求項１】
マスターレンズ装置を装着するマスターレンズ装置側マウント部と、
カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部を有し、
前記コンバーターレンズ部は、前記マスターレンズ装置側である物体側から順に、
正屈折力の第１レンズ群、
正屈折力の第２レンズ群、
負屈折力の第３レンズ群からなり、
各レンズ群の間には隙間があり、前記コンバーターレンズ部中の光軸上の各空気間隔のなかで、前記第１レンズ群と前記第２レンズ群との間の光軸上の空気間隔が最も大きくなるように前記第１レンズ群と前記第２レンズ群が配置され、且つ、各レンズ群は正レンズと負レンズを有することを特徴とするリアコンバーターレンズ装置。
【請求項２】
以下の条件式（１）を満足することを特徴とする請求項１に記載のリアコンバーターレンズ装置。
１．０≦｜Ｆｒｃ／Ｂｆ｜≦２．２                      ・・・（１）
ただし、Ｆｒｃはコンバーターレンズ部の合成焦点距離、
Ｂｆはマスターレンズ装置側マウント部に装着可能なマウント部をもつマスターレンズ装置を装着したときの、マスターレンズ装置及びリアコンバーターレンズ装置の合成系におけるバックフォーカス、
である。
【請求項３】
以下の条件式（２）を満足することを特徴とする請求項１又は請求項２に記載のリアコンバーターレンズ装置。
０．５≦｜Σｄ／Ｆｒｃ｜≦０．８                      ・・・（２）
ただし、Σｄはコンバーターレンズ部の最も物体側のレンズの入射面から最も像側のレンズの射出面までの光軸上での距離
である。
【請求項４】
マスターレンズ装置を装着するマスターレンズ装置側マウント部と、
カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部を有し、
前記コンバーターレンズ部は、マスターレンズ装置側である物体側から順に、
正屈折力の第１レンズ群、
正屈折力の第２レンズ群、
負屈折力の第３レンズ群からなり、
各レンズ群の間には隙間があり、以下の条件式（１）及び（２）を満足することを特徴とするリアコンバーターレンズ装置。
１．０≦｜Ｆｒｃ／Ｂｆ｜≦２．２                      ・・・（１）
０．５≦｜Σｄ／Ｆｒｃ｜≦０．８                      ・・・（２）
ただし、Ｆｒｃはコンバーターレンズ部の合成焦点距離、
Ｂｆはマスターレンズ装置側マウント部に装着可能なマウント部をもつマスターレンズ装置を装着したときの、マスターレンズ装置及びリアコンバーターレンズ装置の合成系におけるバックフォーカス、
Σｄはコンバーターレンズ部の最も物体側のレンズの入射面から最も像側のレンズの射出面までの光軸上での距離
である。
【請求項５】
前記第１レンズ群は、物体側より順に、物体側に凸面を向けた負の屈折力のメニスカスレンズ、両凸レンズからなり、
前記第２レンズ群は、像側に凸面を向けたメニスカス形状の接合レンズからなり、前記接合レンズは、物体側から順に、両凹レンズ、両凸レンズを有し、且つ、多くとも３枚のレンズからなり、
前記第３レンズ群は、物体側から順に、負レンズ、正レンズからなる
ことを特徴とする請求項１乃至請求項４のいずれかに記載のリアコンバーターレンズ装置。
【請求項６】
前記第３レンズ群は、物体側から順に、両凹レンズ、物体側に凸面を向けた正の屈折力のメニスカスレンズからなることを特徴とする請求項５に記載のリアコンバーターレンズ装置。
【請求項７】
前記第３レンズ群中の前記負レンズの物体側面は、像側面よリも大きい屈折力絶対値をもち、
前記第３レンズ群中の前記正レンズの物体側面は、像側面よりも大きい屈折力絶対値をもつことを特徴とする請求項５に記載のリアコンバーターレンズ装置。
【請求項８】
前記第２レンズ群中の前記接合レンズは、物体側から順に、前記両凹レンズ、前記両凸レンズ、像側に凸面を向けたメニスカスレンズとからなるトリプレット接合レンズであることを特徴とする請求項５記載のリアコンバーターレンズ装置。
【請求項９】
前記第２レンズ群中の前記接合レンズは、物体側から順に、前記両凹レンズ、前記両凸レンズとからなる接合ダブレットレンズであることを特徴とする請求項５記載のリアコンバーターレンズ装置。
【請求項１０】
前記第１レンズ群は、前記メニスカスレンズと前記両凸レンズを接合した接合レンズからなることを特徴とする請求項５記載のリアコンバーターレンズ装置。
【請求項１１】
マスターレンズ装置側マウント部の最も物体側のマウント面が、前記コンバーターレンズ部の最も物体側にあるレンズ面よりもさらに物体側にあり、以下の条件式（３）を満足することを特徴とする請求項１乃至請求項１０の少なくともいずれか１項に記載のリアコンバーターレンズ装置。
Ｄｍｒ≧４.０ｍｍ                                      ・・・（３）
ここで、Ｄｍｒは、前記最も物体側のマウント面の位置から前記コンバーターレンズ部の最も物体側にあるレンズ面までの光軸上での距離であり、像側方向を正とする。
【請求項１２】
また、以下の条件式（４）を満足することを特徴とする請求項１乃至請求項１１の少なくともいずれか１項に記載のリアコンバーターレンズ装置。
２．４≦｜Ｆ１／Ｆｒｃ｜≦２００．０                    ・・・（４）
ただし、Ｆｒｃはコンバーターレンズ部の合成焦点距離、
Ｆ１はコンバーターレンズ部の第１レンズ群の焦点距離．
である。
【請求項１３】
また、以下の条件式（５）を満足することを特徴とする請求項１乃至請求項１２の少なくともいずれか１項に記載のリアコンバーターレンズ装置。
１．４≦｜Ｆ２／Ｆｒｃ｜≦２．４                        ・・・（５）
ただし、Ｆｒｃはコンバーターレンズ部の合成焦点距離、
Ｆ２はコンバーターレンズ部の第２レンズ群の焦点距離
である。
【請求項１４】
以下の条件式（６）を満足することを特徴とする請求項１乃至請求項１３の少なくともいずれか１項に記載のリアコンバーターレンズ装置。
０．２≦Ｆ３／Ｆｒｃ≦１．２                            ・・・（６）
ただし、Ｆｒｃはコンバーターレンズ部の合成焦点距離、
Ｆ３はコンバーターレンズ部の第３レンズ群の焦点距離
である。
【請求項１５】
以下の条件式（７）を満足することを特徴とする請求項１乃至請求項１４の少なくともいずれか１項に記載のリアコンバーターレンズ装置。
１．８≦β≦２．３                                      ・・・（７）
ただし、βはコンバーターレンズ部の結像倍率である。
【請求項１６】
請求項１乃至請求項１５の少なくともいずれか１項に記載のリアコンバーターレンズ装置と、前記リアコンバーターレンズ装置の前記マスターレンズ装置側マウント部を介して装着可能なマウント部を備えるマスターレンズ装置と、前記リアコンバーターレンズ装置の前記カメラ本体側マウント部を介して装着可能なマウント部を有するカメラ本体とを有することを特徴とする撮影システム。
【発明の詳細な説明】
【技術分野】
【０００１】
本発明は、マスターレンズ装置の装着によりマスターレンズ装置の焦点距離よりも長い焦点距離のレンズ系を得るためのリアコンバーターレンズ装置及びそれを備えた撮影システムに関するものである。
【背景技術】
【０００２】
従来、マスターレンズ装置のマウント部とカメラ本体のマウント部の各々に対応するマウント部を持ち、マスターレンズ装置とカメラ本体との間にそれらのマウント部を介してコンバーターレンズ部を挟みこみ、レンズ系の全系の焦点距離を伸長するリアコンバーターレンズ装置が知られている。
【０００３】
このようなリアテレコンバーターレンズは、レンズ交換可能なフィルム用一眼レフカメラやデジタル一眼レフカメラユーザーに好まれて使用されている。
【０００４】
このようなリアテレコンバーターレンズとして、例えば、特許文献１や、特許文献２には、コンバーターレンズ部をマスターレンズ装置側から概略、正、負、正のレンズ群配置とし、収差補正上有利なパワー配置としたリアコンバーターレンズ装置が開示されている。
【特許文献１】特開２００２−２６７９２９号公報
【特許文献２】特開２００４−２２６６４８号公報
【発明の開示】
【発明が解決しようとする課題】
【０００５】
しかしながら、特許文献１や特許文献２のパワー配置のリアコンバーターレンズ装置の場合、コンバーターレンズ部と主点との関係により、コンバーターレンズ部がマスターレンズ装置側へ寄りやすくなり、使用できるマスターレンズ装置の種類が制限されやすくなる。そのためリアコンバーターレンズ装置の、汎用性が低下する。
【０００６】
本発明は、このような課題に鑑みてなされたものであり、大きな倍率としてもコンバーターレンズ部がマスターレンズ装置側へ寄り過ぎることを抑えやすく、光学性能も維持しやすいリアコンバーターレンズ装置及びそれを備えた撮影システムを提供することを目的とする。
【課題を解決するための手段】
【０００７】
本発明のリアコンバーターレンズ装置は、マスターレンズ装置を装着するマスターレンズ装置側マウント部と、カメラ本体を装着するカメラ本体側マウント部と、前記マスターレンズ装置の装着により前記マスターレンズ装置の焦点距離よりも長い焦点距離のレンズ系を得るために全体として負の屈折力をもつコンバーターレンズ部を有し、前記コンバーターレンズ部は、前記マスターレンズ装置側である物体側から順に、正屈折力の第１レンズ群、正屈折力の第２レンズ群、負屈折力の第３レンズ群からなり、各レンズ群の間には隙間があり、前記コンバーターレンズ部中の光軸上の各空気間隔のなかで、前記第１レンズ群と前記第２レンズ群との間の光軸上の空気間隔が最も大きくなるように前記第１レンズ群と前記第２レンズ群が配置され、且つ、各レンズ群は正レンズと負レンズを有することを特徴とする。
【０００８】
このように、マスターレンズ装置側マウント部、カメラ本体側マウント部を介して、負の屈折力を持つコンバーターレンズ部を、マスターレンズ装置とカメラ本体との間に挟みこむことで、マスターレンズ装置よりも長い焦点距離を持つレンズ系を得ることができる。
【０００９】
また、このコンバーターレンズ部を物体側から順に正、正、負の配置となるようにしている。
【００１０】
このように、負のレンズ群が最もカメラ本体側になるようにすることで、コンバーターレンズ部の主点に対してコンバーターレンズ部をカメラ本体よりに配置しやすくなる。
【００１１】
各レンズ群の配置として、各レンズ群の間には隙間があり（レンズ群同士は光軸上で離れているか、光軸付近で部分的に接するのみという意味）、コンバーターレンズ部中の各光軸上空気間隔のなかで、第１レンズ群と第２レンズ群との間の光軸上の空気間隔が最も大きくなるように配置している。第２、第３レンズ群の合成パワーは負となるが、このように配置することで、主点をマスターレンズ装置側にすることに一層有利となる。そして、正パワー第２レンズ群と負パワーの第３レンズ群の間の間隔が第１、２レンズ群の間隔よりも小さくなるので、負の屈折力が集中する第３レンズ群での収差を正の屈折力の第２レンズ群で相殺しやすくなる。
【００１２】
そして、第１、第２、第３レンズ群の各レンズ群は、正レンズと負レンズを備える構成とすることで、各群での諸収差の低減にも有利となり高性能化に有利となる。
【００１３】
また、次の条件式（１）又は（２）もしくは両方の条件を、最初に述べた発明に加えることで一層、収差補正と突出量の低減に有利となる。
【００１４】
以下の条件式（１）を満足すると好ましい。
１．０≦｜Ｆｒｃ／Ｂｆ｜≦２．２                      ・・・（１）
ただし、Ｆｒｃはコンバーターレンズ部の合成焦点距離、
Ｂｆはマスターレンズ装置側マウント部に装着可能なマウント部をもつマスターレンズ装置を装着したときの、マスターレンズ装置及びリアコンバーターレンズ装置の合成系におけるバックフォーカス、
である。
【００１５】
条件式（１）は、コンバーターレンズ部の合成焦点距離とバックフォーカスとの好ましい関係を特定するものである。
【００１６】
条件式（１）の下限を下回らないようにすることで、規定のバックフォーカスに対するコンバーターレンズ部の負パワーを弱くできるので収差補正上有利となる。
【００１７】
条件式（１）の上限を上回らないようにして、規定のバックフォーカスに対するコンバーターレンズ部の焦点距離を短くすることで倍率の確保に有利となる。
【００１８】
また、以下の条件式（２）を満足すると好ましい。
０．５≦｜Σｄ／Ｆｒｃ｜≦０．８                      ・・・（２）
ただし、Σｄはコンバーターレンズ部の最も物体側のレンズの入射面から最も像側のレンズの射出面までの光軸上での距離
である。
【００１９】
条件式（２）は、コンバーターレンズ部の光軸上での厚さと合成焦点距離との好ましい関係を特定するものである。
【００２０】
条件式（２）の下限を下回らないようにすることで、コンバーターレンズ部の焦点距離に対するコンバーターレンズ部の厚さが確保されるため、レンズ枚数の確保が容易となり諸収差の補正に有利となる。
【００２１】
条件式（２）の上限を上回らないようにして、コンバーターレンズ部の焦点距離に対してレンズ系が光軸方向に厚くなりすぎないようにし、マスターレンズ部がマスターレンズ装置側に寄ることを抑えやすくすることが好ましい。
【００２２】
また、本発明のリアコンバーターレンズ装置は以下の構成としてもよい。
【００２３】
マスターレンズ装置を装着するマスターレンズ装置側マウント部と、カメラ本体を装着するカメラ本体側マウント部と、マスターレンズ装置の装着により前記マスターレンズ装置の焦点距離よりも長い焦点距離のレンズ系を得るために全体として負の屈折力をもつコンバーターレンズ部を有し、前記コンバーターレンズ部は、マスターレンズ装置側である物体側から順に、正屈折力の第１レンズ群、正屈折力の第２レンズ群、負屈折力の第３レンズ群からなり、各レンズ群の間には隙間があり、以下の条件式（１）及び（２）を満足することを特徴とする。
１．０≦｜Ｆｒｃ／Ｂｆ｜≦２．２                      ・・・（１）
０．５≦｜Σｄ／Ｆｒｃ｜≦０．８                      ・・・（２）
ただし、Ｆｒｃはコンバーターレンズ部の合成焦点距離、
Ｂｆはマスターレンズ装置側マウント部に装着可能なマウント部をもつマスターレンズ装置を装着したときの、マスターレンズ装置及びリアコンバーターレンズ装置の合成系におけるバックフォーカス、
Σｄはコンバーターレンズ部の最も物体側のレンズの入射面から最も像側のレンズの射出面までの光軸上での距離
である。
【００２４】
このように、コンバーターレンズ部内の各レンズ群のパワー配置を正、正、負の順に配置にすることで、コンバーターレンズ部の主点に対し、コンバーターレンズ部が物体側に寄りすぎることを抑えやすくなる。
【００２５】
また、条件式（１）は、コンバーターレンズ部の合成焦点距離とバックフォーカスとの好ましい関係を特定するものである。
【００２６】
条件式（１）の下限を下回らないようにすることで、規定のバックフォーカスに対するコンバーターレンズ部の負パワーを弱くできるので収差補正上有利となる。
【００２７】
条件式（１）の上限を上回らないようにして、規定のバックフォーカスに対するコンバーターレンズ部の焦点距離を短くすることで倍率の確保に有利となる。
【００２８】
さらに、条件式（２）は、コンバーターレンズ部の光軸上での厚さと合成焦点距離との好ましい関係を特定するものである。
【００２９】
条件式（２）の下限を下回らないようにすることで、コンバーターレンズ部の焦点距離に対するコンバーターレンズ部の厚さが確保されるため、レンズ枚数の確保が容易となり諸収差の補正に有利となる。
【００３０】
条件式（２）の上限を上回らないようにして、コンバーターレンズ部の焦点距離に対してレンズ系が光軸方向に厚くなりすぎないようにし、マスターレンズ部がマスターレンズ装置側に寄ることを抑えやすくすることが好ましい。
【００３１】
上述の各発明において、以下の構成を個別に、更には複数を同時に満足することが一層好ましい。
【００３２】
前記第１レンズ群は、物体側より順に、物体側に凸面を向けた負の屈折力のメニスカスレンズ、両凸レンズからなり、前記第２レンズ群は、像側に凸面を向けたメニスカス形状の接合レンズからなり、前記接合レンズは、物体側から順に、両凹レンズ、両凸レンズを有し、且つ、多くとも３枚のレンズからなり、前記第３レンズ群は、物体側から順に、負レンズ、正レンズからなることが好ましい。
【００３３】
このように、全体的に正レンズと負レンズが略交互に配置されることにより、少ないレンズ枚数ながらも諸収差の補正に有利となる。一方、第２レンズ群中の両凹レンズ、両凸レンズは偏心による収差が発生しやすい。そのため、両凹レンズと両凸レンズとを接合することで、これらのレンズの偏心の影響を低減でき、光学性能を一層良好にしやすくなる。
【００３４】
さらに、以下の構成とすることが好ましい。
【００３５】
第３レンズ群は、物体側から順に、両凹レンズ、物体側に凸面を向けた正の屈折力のメニスカスレンズからなることが好ましい。
【００３６】
このように、第３レンズ群中の物体側負レンズを両凹形状とし、正レンズを物体側に凸のメニスカス形状とすることで、負屈折力の第３レンズ群の負パワーの確保に有利となる。且つ、両凹レンズ付近の凸のレンズ面形状が両凹負レンズ側に凸となり像面湾曲等の諸収差の低減に有利となる。
【００３７】
また、第３レンズ群中の前記負レンズの物体側面は、像側面よリも大きい屈折力絶対値をもち、第３レンズ群中の前記正レンズの物体側面は、像側面よりも大きい屈折力絶対値をもつことが好ましい。
【００３８】
非点収差の補正などの収差バランスを良好にしやすくなる。
また、以下の構成とすることが好ましい。
【００３９】
第２レンズ群中の前記接合レンズは、物体側から順に、前記両凹レンズ、前記両凸レンズ、像側に凸面を向けたメニスカスレンズとからなるトリプレット接合レンズであることが好ましい。
【００４０】
第２レンズ群中の両凹レンズ、両凸レンズは偏心による収差が発生しやすい。そのため、両凸レンズを両側のレンズで挟む接合トリプレットレンズとすることで、これらのレンズの偏心の影響を一層低減でき、ペッツバール像面等を補正し光学性能を一層良好にしやすくなる。
【００４１】
または、以下の構成としてもよい。
【００４２】
前記第２レンズ群中の前記接合レンズは、物体側から順に、前記両凹レンズ、前記両凸レンズとからなる接合ダブレットレンズであることが好ましい。
【００４３】
第２レンズ群中の両凹レンズ、両凸レンズは偏心による収差が発生しやすい。そのため、両凹レンズと両凸レンズを接合し、接合ダブレットレンズとすることで、これらのレンズの偏心の影響を低減でき、ペッツバール像面等を補正し光学性能を一層良好にしやすくなる。また、レンズ枚数の低減により小型化にも有利となる。
【００４４】
または、以下の構成としてもよい。
【００４５】
第１レンズ群は、前記メニスカスレンズと前記両凸レンズを接合した接合レンズからなることが好ましい。
【００４６】
第１レンズ群内でのレンズの相互偏心の影響を抑えやすくなり、光学性能の向上に有利となる。
【００４７】
マスターレンズ装置側マウント部の最も物体側のマウント面が、前記コンバーターレンズ部の最も物体側にあるレンズ面よりもさらに物体側にあり、以下の条件式（３）を満足することが好ましい。
Ｄｍｒ≧４.０ｍｍ                                      ・・・（３）
ここで、Ｄｍｒは、前記最も物体側のマウント面の位置から前記コンバーターレンズ部の最も物体側にあるレンズ面までの光軸上での距離であり、像側方向を正とする。
【００４８】
条件式（３）の下限を下回らないようにすることで、マスターレンズ装置中の最も像側のレンズがマウント面から像側にはみ出している場合でも、前記リアコンバーターレンズの第１レンズとの干渉を抑えやすくなり、使用できるマスターレンズ装置の制限が緩和される。
【００４９】
条件式（３）に上限値を設けてもよい。その場合、以下の条件とすることが好ましい。
５．０ｍｍ≦Ｄｍｒ≦８.０ｍｍ                          ・・・（３'）
条件式（３'）の上限を上回らないようにすることでレンズを配置するスペースを確保しやすくでき、収差補正等に有利となる。
【００５０】
また、以下の条件式（４）を満足することが好ましい。
２．４≦｜Ｆ１／Ｆｒｃ｜≦２００．０                    ・・・（４）
ただし、Ｆｒｃはコンバーターレンズ部の合成焦点距離、
Ｆ１はコンバーターレンズ部の第１レンズ群の焦点距離．
である。
【００５１】
条件式（４）の下限を下回らないようにすることで、第１レンズ群の屈折力を抑え、コンバーターレンズ部の第１レンズ群の諸収差の補正に有利となる。
【００５２】
条件式（４）の上限を上回らないようにすることで、第１レンズ群による光束を収斂する機能を確保し、第２レンズ群以降の小型化に有利となる。
【００５３】
また、以下の条件式（５）を満足することが好ましい。
１．４≦｜Ｆ２／Ｆｒｃ｜≦２．４                        ・・・（５）
ただし、Ｆｒｃはコンバーターレンズ部の合成焦点距離、
Ｆ２はコンバーターレンズ部の第２レンズ群の焦点距離
である。
【００５４】
条件式（５）式の下限を下回らないようにすることで、コンバーターレンズ部の第２レンズ群の屈折力を抑え諸収差の補正を行いやすくなる。
【００５５】
条件式（５）式の上限を上回らないようにすることで、第２レンズ群の収斂作用を確保し、第３レンズ群の小型化に有利となる。
【００５６】
以下の条件式（６）を満足することが好ましい。
０．２≦Ｆ３／Ｆｒｃ≦１．２                            ・・・（６）
ただし、Ｆｒｃはコンバーターレンズ部の合成焦点距離、
Ｆ３はコンバーターレンズ部の第３レンズ群の焦点距離
である。
【００５７】
条件式（６）の下限を下回らないようにし、コンバーターレンズ部の第３レンズ群の屈折力を抑えることで、バックフォーカスを適度な長さに抑えるとともにコンバーターレンズ部の全体の小型化に有利となる。第３レンズ群での収差低減にも有利となる。
【００５８】
条件式（６）の上限を上回らないようにすることで、規定のバックフォーカスを確保しやすくなる。
【００５９】
以下の条件式（７）を満足することが好ましい。
１．８≦β≦２．３                                      ・・・（７）
ただし、βはコンバーターレンズ部の結像倍率である。
【００６０】
条件式（７）の下限を下回らないようにして、倍率を確保しテレコンバーターとして十分な作用（遠くのものを大きく拡大する機能）を確保することが好ましい。
【００６１】
条件式（７）の上限を上回らないようにして、コンバーターレンズ部の倍率が大きくなりすぎないようにして、全系の負のパワーを抑えて諸収差の補正を行いやすくすることが、小型化、光学性能の両立の上で好ましい。
【００６２】
上述のリアコンバーターレンズ装置は、レンズ交換可能な各種一眼レフカメラ（フィルム用一眼レフカメラやデジタル一眼レフカメラ）、コンパクトカメラ等に用いることができる。
【００６３】
つまり、これらのカメラ本体や交換レンズと組み合わせて、前述のリアコンバーターレンズ装置と、前記リアコンバーターレンズ装置の前記マスターレンズ装置側マウント部を介して装着可能なマウント部を備えるマスターレンズ装置と、前記リアコンバーターレンズ装置の前記カメラ本体側マウント部を介して装着可能なマウント部を有するカメラ本体とを有する撮影システムとすることができる。
【００６４】
また、上述の各発明を任意に複数同時に満足することが好ましい。
【００６５】
さらに、上述の条件式も任意に複数満足することが好ましい。
上述の各条件式について以下のようにすることがより好ましい。
【００６６】
条件式（１）について、下限値を１．２、更には１．３とすることがより好ましい。また、上限値を２．０、更には１．８とすることがより好ましい。
【００６７】
条件式（２）について、下限値を０．５５、更には０．６とすることがより好ましい。また、上限値を０．７５、更には０．７とすることがより好ましい。
【００６８】
条件式（３）、（３’）について、下限値を４．５ｍｍ、更には５．０ｍｍ  とすることがより好ましい。また、上限値を７．０ｍｍ、更には６．０ｍｍとすることがより好ましい。
【００６９】
条件式（４）について、下限値を２．５、更には２，８とすることがより好ましい。また、上限値を８０、更には３．４とすることがより好ましい。
【００７０】
条件式（５）について、下限値を１．５、更には１．６とすることがより好ましい。また、上限値を２．２、更には２．０とすることがより好ましい。
【００７１】
条件式（６）について、下限値を０，４、更には０．６とすることがより好ましい。また、上限値を１．０、更には０．８とすることがより好ましい。
【００７２】
条件式（７）について、下限値を１．９とすることがより好ましい。また、上限値を２．１とすることがより好ましい。
【発明の効果】
【００７３】
大きな倍率としてもコンバーターレンズ部がマスターレンズ装置側へより過ぎることを抑えやすく、光学性能も維持しやすいリアコンバーターレンズ装置及びそれを備えた撮影システムを提供できる。
【発明を実施するための最良の形態】
【００７４】
以下に、本願発明の実施形態を説明する。
【００７５】
実施例１，２共に、マスターレンズ装置のレンズ部、マウント部の構成は同じである。
本発明の実施例１の光学系について説明する。図１は、実施例１のリアコンバーターレンズ装置のレンズ部の断面図であり、図２は、本発明のリアコンバーターレンズ装置を後側に装着する１例のマスターレンズ装置のレンズ部の断面図であり、図３は、本発明の実施例１のリアコンバーターレンズを図２のマスターレンズの後側に装着した状態の断面図であり、図４は、図２のマスターレンズの無限遠合焦状態の諸収差図であり、図５は、図１の実施例1のリアコンバーターレンズを図２のマスターレンズの後側に装着した状態の諸収差図である。球面収差と倍率色収差は、５８７．６ｎｍ（ｄ線：実線）、４３５．８ｎｍ（ｇ線：二点鎖線）、４８６．１ｎｍ（Ｆ線：一点鎖線）、６５６．３ｎｍ（Ｃ線：点線）の各波長における数値を示してある。また非点収差は、実線がサジタル像面、点線がメリジオナル像面を示している。
【００７６】
マスターレンズはフォーカシング用の可動レンズを備えており、被写体距離や装着するコンバーターレンズやカメラ本体の種類による像位置のズレを補正できるようになっている。
【００７７】
各図中、マスターレンズはＭＳＬ、リアコンバーターレンズはＲＣＬ、第１レンズ群はＧ１、第２レンズ群はＧ２、第３レンズ群はＧ３、物体側マウント部はＭ１、像側マウント部はＭ２、絞りはＳ、電子撮像素子であるＣＣＤの像面はＩで示してある。
【００７８】
実施例１のリアコンバーターレンズＲＣＬは、図１に示すように、物体側から順に、物体側マウント部Ｍ１、正屈折力の第１レンズ群Ｇ１、フレア絞りＦＳ、正屈折力の第２レンズ群Ｇ２、負屈折力の第３レンズ群Ｇ３、像側マウント部Ｍ２、から構成されている。
【００７９】
物体側から順に、第１レンズ群Ｇ１は、物体側に凸面を向けた負メニスカスレンズと、両凸正レンズとからなり、第２レンズ群Ｇ２は、両凹負レンズと両凸正レンズと像側に凸面を向けた負メニスカスレンズの接合レンズからなり、第３レンズ群Ｇ３は、両凹負レンズと、物体側に凸面を向けた正メニスカスレンズからなる。
【００８０】
実施例１のマスターレンズＭＳＬは、図２に示すように、物体側から順に、両凸正レンズと、物体側に凸面を向けた正メニスカスレンズと、両凹負レンズと、両凸正レンズと、両凸正レンズと両凹負レンズの接合レンズと、物体側に凸面を向けた正メニスカスレンズと物体側に凸面を向けた負メニスカスレンズの接合レンズと、物体側に凸面を向けた正メニスカスレンズと、絞りＳと、両凹負レンズと、両凸正レンズと、からなる。
【００８１】
図３は、本発明の実施例１のリアコンバーターレンズを図２のマスターレンズの像側に装着した状態の断面図を示す。リアコンバーターレンズをマスターレンズの後側に装着した状態において、マスターレンズＭＳＬは、物体側から順に、両凸正レンズと、物体側に凸面を向けた正メニスカスレンズと、両凹負レンズと、両凸正レンズと、両凸正レンズと両凹負レンズの接合レンズと、物体側に凸面を向けた正メニスカスレンズと物体側に凸面を向けた負メニスカスレンズの接合レンズと、物体側に凸面を向けた正メニスカスレンズと、絞りＳと、両凹負レンズと、両凸正レンズと、からなる。
【００８２】
また、リアコンバーターレンズＲＣＬは、物体側から順に、物体側マウント部Ｍ１、正屈折力の第１レンズ群Ｇ１、フレア絞りＦＳ、正屈折力の第２レンズ群Ｇ２、負屈折力の第３レンズ群Ｇ３、像側マウント部Ｍ２、から構成されている。
【００８３】
物体側から順に、第１レンズ群Ｇ１は、物体側に凸面を向けた負メニスカスレンズと、両凸正レンズとからなり、第２レンズ群Ｇ２は、両凹負レンズと両凸正レンズと像側に凸面を向けた負メニスカスレンズの接合レンズからなり、第３レンズ群Ｇ３は、両凹負レンズと、物体側に凸面を向けた正メニスカスレンズからなる。
【００８４】
本発明の実施例２の光学系について説明する．図６は実施例２のリアコンバーターレンズの断面図であり、図７は本発明のリアコンバーターレンズを後側に装着する１例のマスターレンズの断面図であり、図８は本発明の実施例２のリアコンバーターレンズを図７のマスターレンズの後側に装着した状態の断面図であり、図９は図７のマスターレンズの無限遠合焦状態の諸収差図であり，図１０は図６の実施例２のリアコンバーターレンズを図７のマスターレンズの後側に装着した状態の諸収差図である。球面収差と倍率色収差は、５８７．６ｎｍ（ｄ線：実線）、４３５．８ｎｍ（ｇ線：二点鎖線）、４８６．１ｎｍ（Ｆ線：一点鎖線）、６５６．３ｎｍ（Ｃ線：点線）の各波長における数値を示してある。また非点収差は、実線がサジタル像面、点線がメリジオナル像面を示している。
【００８５】
マスターレンズはフォーカシング用の可動レンズを備えており、被写体距離や装着するコンバーターレンズの種類による像位置のズレを補正できるようになっている。
【００８６】
各図中、マスターレンズはＭＳＬ、リアコンバーターレンズはＲＣＬ、第１レンズ群はＧ１、第２レンズ群はＧ２、第３レンズ群はＧ３、物体側マウント部はＭ１、像側マウント部はＭ２、絞りはＳ、電子撮像素子であるＣＣＤの像面はＩで示してある。
【００８７】
実施例２のリアコンバーターレンズＲＣＬは、図６に示すように、物体側から順に、物体側マウント部Ｍ１、正屈折力の第１レンズ群Ｇ１、正屈折力の第２レンズ群Ｇ２、負屈折力の第３レンズ群Ｇ３、像側マウント部Ｍ２、から構成されている。
【００８８】
物体側から順に、第１レンズ群Ｇ１は、物体側に凸面を向けた負メニスカスレンズと両凸正レンズの接合レンズからなり、第２レンズ群Ｇ２は、両凹負レンズと両凸正レンズの接合レンズからなり、第３レンズ群Ｇ３は、両凹負レンズと、物体側に凸面を向けた平凸正レンズからなる。
【００８９】
実施例２のマスターレンズＭＳＬは、図７に示すように、物体側から順に、両凸正レンズと、物体側に凸面を向けた正メニスカスレンズと、両凹負レンズと、両凸正レンズと、両凸正レンズと両凹負レンズの接合レンズと、物体側に凸面を向けた正メニスカスレンズと物体側に凸面を向けた負メニスカスレンズの接合レンズと、物体側に凸面を向けた正メニスカスレンズと、絞りＳと、両凹負レンズと、両凸正レンズと、からなる。
【００９０】
図３は、本発明の実施例１のリアコンバーターレンズを図２のマスターレンズの像側に装着した状態の断面図を示す。リアコンバーターレンズをマスターレンズの後側に装着した状態において、マスターレンズＭＳＬは、物体側から順に、両凸正レンズと、物体側に凸面を向けた正メニスカスレンズと、両凹負レンズと、両凸正レンズと、両凸正レンズと両凹負レンズの接合レンズと、物体側に凸面を向けた正メニスカスレンズと物体側に凸面を向けた負メニスカスレンズの接合レンズと、物体側に凸面を向けた正メニスカスレンズと、絞りＳと、両凹負レンズと、両凸正レンズと、からなる。
【００９１】
また、リアコンバーターレンズＲＣＬは、物体側から順に、物体側マウント部Ｍ１、正屈折力の第１レンズ群Ｇ１、正屈折力の第２レンズ群Ｇ２、負屈折力の第３レンズ群Ｇ３、像側マウント部Ｍ２、から構成されている。
【００９２】
物体側から順に、第１レンズ群Ｇ１は、物体側に凸面を向けた負メニスカスレンズと両凸正レンズの接合レンズからなり、第２レンズ群Ｇ２は、両凹負レンズと両凸正レンズの接合レンズからなり、第３レンズ群Ｇ３は、両凹負レンズと、物体側に凸面を向けた平凸正レンズからなる。
【００９３】
以下、各実施例におけるレンズの数値データを示す。数値データは、物体側マウント部、像側マウント部、各レンズ構成、フレア絞りの位置を含むリアコンバーターレンズ装置のレンズデータ、マスターレンズ装置のレンズ部のレンズデータ、及び、リアコンバーターレンズ装置とマスターレンズ装置のそれぞれのマウント部を介して合体させた状態でのレンズデータを示す。
【００９４】
各実施例において，ｆは焦点距離，ＦnoはＦナンバー，βは結像倍率，Ｓは面番号，ｒはレンズ面の近軸曲率半径，ｄはレンズ肉厚および空気間隔，Ｎｄおよびνｄはｄ線（λ＝５８７．６ｎｍ）における屈折率およびアッべ数である．
【００９５】
数値実施例１
単位     ｍｍ
リアコンバーターレンズ部
面データ
面番号                   ｒ         ｄ        ｎｄ      νｄ
0（物体側マウント面）     ∞        5.80
1                   65.040      1.35     1.88300    40.76
2                   17.937      0.79
3                   22.652      5.20     1.59270    35.31
4                  -44.108      2.50
5（フレア絞り）       ∞        2.15
6                  -38.040      1.35     1.81600    46.62
7                   21.904      7.50     1.59270    35.31
8                  -14.907      8.00     1.69680    55.53
9                  -19.274      0.15
10                  -33.494      1.35     1.90366    31.31
11                  125.801      0.97
12                   33.222      7.14     1.51633    64.14
13                  150.252     -2.45
14（像側マウント面）       ∞
各種データ
焦点距離       -62.498
マスターレンズ部
面データ
面番号                   ｒ         ｄ        ｎｄ      νｄ
物体面                   ∞         ∞
1                  279.889      9.12     1.48749    70.23
2                 -653.223      0.20
3                   86.709     10.53     1.49700    81.54
4                  672.762      3.06
5                 -372.773      4.46     1.78472    25.68
6                  115.609      7.86
7                  103.086     11.70     1.43875    94.93
8                 -247.813      1.00
9                   89.628     12.30     1.78472    25.68
10                 -137.907      3.85     1.74400    44.78
11                   80.187     29.7593
12                   36.976      9.00     1.62280    57.05
13                  548.969      5.19     1.71736    29.52
14                   30.722      3.10
15                   55.913      4.40     1.80518    25.42
16                  148.254      3.60
17（絞り）             ∞        2.50
18                 -672.762      2.60     1.60342    38.03
19                   38.839      7.30
20                  104.607      4.20     1.78800    47.37
21                 -301.318     44.5951
像面                    ∞
各種データ
焦点距離       149.50 
Ｆナンバー        2.0 
半画角          4.4°
像高          11.45 
レンズ全長      180.32
ＢＦ          44.5951
リアコンバーターレンズをマスターレンズの後側に装着した状態
面データ
面番号                   ｒ         ｄ        ｎｄ      νｄ
物体面                   ∞         ∞
1                  279.889      9.12     1.48749    70.23
2                 -653.223      0.20
3                   86.709     10.53     1.49700    81.54
4                  672.762      3.06
5                 -372.773      4.46     1.78472    25.68
6                  115.609      7.86
7                  103.086     11.70     1.43875    94.93
8                 -247.813      1.00
9                   89.628     12.30     1.78472    25.68
10                 -137.907      3.85     1.74400    44.78
11                   80.187     29.7593
12                   36.976      9.00     1.62280    57.05
13                  548.969      5.19     1.71736    29.52
14                   30.722      3.10
15                   55.913      4.40     1.80518    25.42
16                  148.254      3.60
17（絞り）             ∞        2.50
18                 -672.762      2.60     1.60342    38.03
19                   38.839      7.30
20                  104.607      4.20     1.78800    47.37
21                 -301.318      6.0068
22（物体側マウント面）     ∞        5.80
23                   65.040      1.35     1.88300    40.76
24                   17.937      0.79
25                   22.652      5.20     1.59270    35.31
26                  -44.108      2.50
27（フレア絞り）       ∞        2.15
28                  -38.040      1.35     1.81600    46.62
29                   21.904      7.50     1.59270    35.31
30                  -14.907      8.00     1.69680    55.53
31                  -19.274      0.15
32                  -33.494      1.35     1.90366    31.31
33                  125.801      0.97
34                   33.222      7.14     1.51633    64.14
35                  150.252     -2.45
36（像側マウント面）       ∞       38.6043
像面                    ∞
各種データ
焦点距離       299.07 
Ｆナンバー        4.1 
半画角          2.2°
像高          11.45 
レンズ全長      222.14
ＢＦ          36.1543 
【００９６】
数値実施例２
単位     ｍｍ
リアコンバーターレンズ部
面データ
面番号                   ｒ         ｄ        ｎｄ      νｄ
0（物体側マウント面）     ∞        5.80
1                  200.000      1.30     1.88300    40.76
2                   14.472      6.67     1.62588    35.7
3                  -48.413      8.80 
4                  -43.729      1.30     1.88300    40.76
5                   28.559      5.93     1.60342    38.03
6                  -16.233      0.83
7                  -20.522      1.30     1.80400    46.57
8                  103.026      0.10
9                   31.046      3.66     1.53996    59.46
10                     ∞       -4.00
11（像側マウント面）       ∞
各種データ
焦点距離       -45.995
マスターレンズ部
面データ
面番号                   ｒ         ｄ        ｎｄ      νｄ
物体面                   ∞         ∞
1                  279.889      9.12     1.48749    70.23
2                 -653.223      0.20
3                   86.709     10.53     1.49700    81.54
4                  672.762      3.06
5                 -372.773      4.46     1.78472    25.68
6                  115.609      7.86
7                  103.086     11.70     1.43875    94.93
8                 -247.813      1.00
9                   89.628     12.30     1.78472    25.68
10                 -137.907      3.85     1.74400    44.78
11                   80.187     29.7593
12                   36.976      9.00     1.62280    57.05
13                  548.969      5.19     1.71736    29.52
14                   30.722      3.10
15                   55.913      4.40     1.80518    25.42
16                  148.254      3.60
17（絞り）             ∞        2.50
18                 -672.762      2.60     1.60342    38.03
19                   38.839      7.30
20                  104.607      4.20     1.78800    47.37
21                 -301.318     44.5951
像面                    ∞
各種データ
焦点距離       149.50 
Ｆナンバー        2.0 
半画角          4.4°
像高          11.45 
レンズ全長      180.32
ＢＦ          44.5951 
リアコンバーターレンズをマスターレンズの後側に装着した状態
面データ
面番号                   ｒ         ｄ        ｎｄ      νｄ
物体面                   ∞         ∞
1                  279.889      9.12     1.48749    70.23
2                 -653.223      0.20
3                   86.709     10.53     1.49700    81.54
4                  672.762      3.06
5                 -372.773      4.46     1.78472    25.68
6                  115.609      7.86
7                  103.086     11.70     1.43875    94.93
8                 -247.813      1.00
9                   89.628     12.30     1.78472    25.68
10                 -137.907      3.85     1.74400    44.78
11                   80.187     29.7593
12                   36.976      9.00     1.62280    57.05
13                  548.969      5.19     1.71736    29.52
14                   30.722      3.10
15                   55.913      4.40     1.80518    25.42
16                  148.254      3.60
17（絞り）             ∞        2.50
18                 -672.762      2.60     1.60342    38.03
19                   38.839      7.30
20                  104.607      4.20     1.78800    47.37
21                 -301.318      6.0068
22（物体側マウント面）     ∞        5.80
23                  200.000      1.30     1.88300    40.76
24                   14.472      6.67     1.62588    35.7
25                  -48.413      8.80 
26                  -43.729      1.30     1.88300    40.76
27                   28.559      5.93     1.60342    38.03
28                  -16.233      0.83
29                  -20.522      1.30     1.80400    46.57
30                  103.026      0.10
31                   31.046      3.66     1.53996    59.46
32                     ∞       -4.00
33（像側マウント面）       ∞       38.5936
像面                    ∞
各種データ
焦点距離       299.17 
Ｆナンバー        4.1 
半画角          2.2°
像高          11.45 
レンズ全長      222.04
ＢＦ          34.5936 
【００９７】
次に、上記各実施例における条件式（１）〜（７）の値を示す。
条件式     実施例１    実施例２
（１）    1.729       1.329 
（２）    0.615       0.650 
（３）    5.800       5.800 
（４）    2.899      73.488 
（５）    1.777       1.856 
（６）    0.732       0.744 
（７）    2.0         2.0 
【００９８】
図１１は、本発明のリアコンバーターレンズ装置とマスターレンズ装置を組み合わせて撮影レンズに用いた一眼レフレックスカメラの概略断面図である。レンズ部は模式的に現しているが、上述のレンズ系等が使用できる。
【００９９】
図中、１はカメラ本体としての一眼レフレックスカメラ、２はマスターレンズ部ＭＬの保持体５又はリアコンバーターレンズＲＣＬの保持体４を一眼レフレックスカメラ１に着脱可能とするカメラ本体側のマウント部である。３はマスターレンズＭＳＬの保持体５をリアコンバーターレンズＲＣＬの保持体４に着脱可能とするマウント部である。リアコンバーターレンズ装置における保持体４にもマスターレンズ装置を装着するためのマウント部、カメラ本体を着脱するためのマウント部をそなえており、装着時にマスターレンズ装置のマウント部に当接する物体側マウント面Ｍ１、カメラ本体と当接する像側マウント面Ｍ２を持つ。マウント部のタイプとしては、スクリュータイプのマウントやバヨネットタイプのマウント（この図では、バヨネットタイプのマウントを用いている。）等が用いられる。
【０１００】
また、ＰはＣＣＤ等の電子撮像素子やフィルム等の撮像面、６は観察者の眼（アイポイント）、７は撮影レンズの光路８において撮影レンズと撮像面Ｐとの間に配置されたクイックリターンミラー、９はクイックリターンミラー７より反射された光路に配置されたファインダースクリーン、１０はペンタプリズム、１１はファインダーレンズ部である。又、１２，１５，１８は絞りや焦点距離、フォーカシング等の調節などのための制御回路、１３，１６はマスターレンズ装置ＭＳＬ及びリアコンバーターレンズ装置ＲＣＬとカメラ本体とを電気的に接続し、上記調節、制御用の信号の伝達するための電気接点、１７は絞りＳの制御部である。本発明のリアコンバーターレンズ装置は、このような構成の一眼レフレックスカメラ１の撮影レンズ（リアコンバーターレンズ）として用いることができる。
【図面の簡単な説明】
【０１０１】
【図１】実施例１のリアコンバーターレンズの構成を示す断面図である。
【図２】本発明のリアコンバーターレンズを後側に装着する１例のマスターレンズの構成を示す断面図である。
【図３】実施例１のリアコンバーターレンズを図２のマスターレンズの後側に装着した状態の断面図である。
【図４】図２のマスターレンズの無限遠合焦状態の諸収差図である。
【図５】実施例１のリアコンバーターレンズを図２のマスターレンズの後側に装着した状態の諸収差図である。
【図６】実施例２のリアコンバーターレンズの構成を示す断面図である。
【図７】本発明のリアコンバーターレンズを後側に装着する１例のマスターレンズの構成を示す断面図である。
【図８】実施例２のリアコンバーターレンズを図７のマスターレンズの後側に装着した状態の断面図である。
【図９】図７のマスターレンズの無限遠合焦状態の諸収差図である。
【図１０】実施例２のリアコンバーターレンズを図７のマスターレンズの後側に装着した状態の諸収差図である。
【図１１】本発明のリアコンバーターレンズ装置とマスターレンズ装置を組み合わせて撮影レンズに用いた一眼レフレックスカメラの概略断面図である。
【符号の説明】
【０１０２】
Ｇ１…第１レンズ群
Ｇ２…第２レンズ群
Ｇ３…第３レンズ群
Ｓ…絞り
Ｉ…像面
１…一眼レフレックスカメラ（カメラ本体）
２…カメラ本体側マウント
３…マスターレンズマウント部
４…リアコンバーターレンズ保持体
５…マスターレンズ保持体
６…観察者眼球
７…クイックリターンミラー
８…光路
９…ファインダースクリーン
１０…ペンタプリズム
１１…ファインダーレンズ部
１２，１５，１８…制御回路
１３，１６…電気接点
１７…絞り制御部
【図１】
2009080176.tif 000003
【図２】
2009080176.tif 000004
【図３】
2009080176.tif 000005
【図４】
2009080176.tif 000006
【図５】
2009080176.tif 000007
【図６】
2009080176.tif 000008
【図７】
2009080176.tif 000009
【図８】
2009080176.tif 000010
【図９】
2009080176.tif 000011
【図１０】
2009080176.tif 000012
【図１１】
2009080176.tif 000013